(57)【要約】【課題】ガードレール、又は、道路標識等を支えるガードパイプを地中に直接打設する場合、打設したガードパイプが傾いたり上下に動いたりしてしまうことを防止可能なガードパイプユニットを提供する。【解決手段】先導部５と基部６とを有し、先導部５にテーパ８Ａ、１０Ａが形成され、基部６に嵌合テーパ６Ａが形成された打込杭２と、基部６に締まり嵌合する嵌合部２２を一方の端部に有するガードパイプ３とを備え、打込杭２とガードパイプ３とが別体であるガードパイプユニット１とする。【選択図】図８
2008303696.tif 000002
【特許請求の範囲】
【請求項１】
先導部と基部とを有し、前記先導部にテーパが形成され、前記基部に嵌合テーパが形成された打込杭と；
前記基部に締まり嵌合する嵌合部を一方の端部に有するガードパイプとを備え；
前記打込杭と前記ガードパイプとが別体である；
ガードパイプユニット。
【請求項２】
先導部と基部とを有し、前記先導部にテーパが形成された打込杭と；
前記打込杭の基部に嵌合する嵌合部を一方の端部に有するガードパイプと；
前記打込杭と前記ガードパイプとを結合する結合部品とを備え；
前記打込杭と前記ガードパイプとが別体である；
ガードパイプユニット。
【請求項３】
前記テーパが、第１のテーパと、該第１のテーパの先に形成された先端が尖っている第２のテーパからなる；
請求項１または請求項２に記載のガードパイプユニット。
【請求項４】
前記基部と前記嵌合部の一方に、前記結合部品が取り付けられ；
前記基部と前記嵌合部の一方とは相違する他方に、前記結合部品が係合する係合部が形成され；
前記係合部が、前記打込杭と前記ガードパイプとを結合する際に、前記結合部品を前記ガードパイプの長手方向と同じ第１の方向に導き、次に前記ガードパイプの周方向と同じ第２の方向に導くよう形成された；
請求項２または請求項３に記載のガードパイプユニット。
【請求項５】
前記係合部が、前記結合部品をさらに前記第１の方向とは反対の第３の方向に導くよう形成された；
請求項４に記載のガードパイプユニット。
【発明の詳細な説明】
【技術分野】
【０００１】  本発明は、地中への打ち込み、地中への固定を容易にする打込杭とガードパイプとからなるガードパイプユニットに関する。
【背景技術】
【０００２】  道路沿いに設置されるガードレールは、地表から地中に打ち込まれて設置されたガードパイプによって支えられている（例えば、特許文献１を参照）。これらのガードパイプは適当な長さに切断された中空構造のパイプ素材によって形成されている。ガードパイプは、通常、地中に、直接、中空構造のまま打設される。
すなわち、図１０（ａ）に示すように、一般に、地中に打設されるガードパイプ１０１の下端１０１Ａは開口したままとなっている。このようなガードパイプ１０１を地中に直接、中空構造のまま打設する場合、ガードパイプ１０１の下端１０１Ａが地中に進入するにつれて、下端１０１Ａの開口からガードパイプ１０１内部に土砂Ｘ１が入り込む。道路脇に設置される道路標識（不図示）も、やはり地中に打設されたガードパイプ１０１によって支えられている。
【特許文献１】特開２００３−４１５３９号公報（第１図、第２図）
【発明の開示】
【発明が解決しようとする課題】
【０００３】  上述したように、地中にガードパイプ１０１を、直接、中空構造のまま打設する場合、ガードパイプ１０１の下端１０１Ａからガードパイプ１０１内部に土砂Ｘ１が入り込む。したがって、地中のガードパイプ１０１周辺にはガードパイプ１０１の進入によって土圧が形成されにくく、ガードパイプ１０１には土圧が殆ど働かない。このため、時間が経過するにつれて、図１０（ｂ）に示すように、ガードパイプ１０１と周囲の土Ｘ２との間に隙間Ｓが生じてくる。地中で、ガードパイプ１０１の周囲に隙間Ｓが生じると、ガードパイプ１０１が傾いたり、鉛直方向上下に動いたりしてしまう。【０００４】  図１１に示すように、このような地中におけるガードパイプ１０１の動きが原因となり、道路沿いに設置されているガードレール１０２が上下に波打つ等し、また、道路標識（不図示）が斜めに傾いたりする。波打ったり傾いたりしたガードレール１０２等は非常に見苦しく、道路の景観を大きく損なう原因となる。あるいは、場合によっては、道路標識が見えにくくなる原因にもなる。なお、図中においては、ガードパイプ１０１の傾きや上下動は誇張して示されている。【０００５】  本発明は、上記問題を解決するものであり、その目的とするところは、ガードレール、又は、道路標識等を支えるガードパイプを地中に直接打設する場合、打設したガードパイプが傾いたり上下に動いたりしてしまうことを防止可能なガードパイプを提供することである。
【課題を解決するための手段】
【０００６】  上記目的を達成するため、請求項１に記載の発明に係るガードパイプユニット７１は、例えば図８に示すように、先導部５と基部６とを有し、先導部５にテーパ８Ａ、１０Ａが形成され、基部６に嵌合テーパ６Ａが形成された打込杭２と；基部６に締まり嵌合する嵌合部２２を一方の端部に有するガードパイプ３とを備え；打込杭２とガードパイプ３とが別体である。【０００７】  このように構成すると、基部に嵌合テーパが形成された打込杭と；基部に締まり嵌合する嵌合部を一方の端部に有するガードパイプとを備えるので、ガードパイプユニットの設置現場にて、打込杭とガードパイプを嵌合することができ、当該設置現場にて打込杭とガードパイプを組み立てることができる。先導部にテーパが形成された打込杭を備えるので、打込杭とガードパイプとの組み立て後に、打込杭の先導部を地表に接触させ地中に向けてガードパイプを直接打設すると、打込杭は地中に進入し打込杭により土に対する押圧力を発生させ、打込杭とガードパイプとに対する土圧を生じさせ、ガードパイプユニットを地中に固定させることができる。また、打込杭とガードパイプとが別体であるので、それぞれの加工を容易に行うことができる。よって、ガードパイプユニットの設置作業時間を短縮することができる。【０００８】  上記目的を達成するため、請求項２に記載の発明に係るガードパイプユニット１は、例えば図２に示すように、先導部５と基部６とを有し、先導部５にテーパ８Ａ、１０Ａが形成された打込杭２と；打込杭２の基部６に嵌合する嵌合部２２を一方の端部に有するガードパイプ３と；打込杭２とガードパイプ３とを結合する結合部品１５とを備え；打込杭とガードパイプ３とが別体である。【０００９】  このように構成すると、打込杭の基部に嵌合する嵌合部を一方の端に有するガードパイプを備えるので、ガードパイプユニットの設置現場にて打込杭とガードパイプを嵌合することができ、打込杭とガードパイプとを結合する結合部品を備えるので、設置現場にて打込杭とガードパイプを結合し組み立てることができる。先導部にテーパが形成された打込杭を備えるので、打込杭とガードパイプとの組み立て後に、打込杭の先導部を地表に接触させ地中に向けてガードパイプを直接打設すると、打込杭は地中に進入し打込杭により土に対する押圧力を発生させ、打込杭とガードパイプユニットに対する土圧を生じさせ、ガードパイプユニットを地中に固定させることができる。また、打込杭とガードパイプとが別体であるので、それぞれの加工を容易に行うことができる。
また、打込杭とガードパイプとを隙間嵌合とするとよい。隙間嵌合とは、両者が、両者の間に隙間をもって嵌合されることをいう。【００１０】  請求項３に係るガードパイプユニット１は、請求項１または請求項２に記載のガードパイプユニットにおいて、例えば図２に示すように、テーパ８Ａ、１０Ａが、第１のテーパ８Ａと、該第１のテーパ８Ａの先に形成された先端が尖っている第２のテーパ１０Ａからなる。【００１１】  このように構成すると、ガードパイプユニットは、第２のテーパ部を地面に突き刺し、ガードパイプユニットの地面に対する位置決めを行い、次にガードパイプに対し打込杭が地面に入り込む方向に力を作用させ、第１のテーパ部を地中に進入させ、土に押圧力を作用させ、土に土圧を発生させ、ガードパイプの地中の部分に土圧が反力として作用するようにし、ガードパイプを地中に固定することができる。【００１２】  請求項４に係るガードパイプユニット１は、請求項２または請求項３に記載のガードパイプユニットにおいて、例えば図２に示すように、基部６と嵌合部２２の一方に、結合部品１５が取り付けられ；基部６と嵌合部２２の一方とは相違する他方に、結合部品１５が係合する係合部１２が形成され；係合部１２が、打込杭２とガードパイプ３とを結合する際に、結合部品１５をガードパイプ３の長手方向と同じ第１の方向に導き、次にガードパイプ３の周方向と同じ第２の方向に導くよう形成される。【００１３】  このように構成すると、係合部に結合部品を係合させ、打込杭とガードパイプとを結合する際に、係合部が結合部品をガードパイプの長手方向と同じ第１の方向に導き、次にガードパイプの周方向と同じ第２の方向に導くよう形成されるので、結合部品が係合部に導かれるのに従い、ガードパイプを打込杭に対してガードパイプの長手方向と同じ第１の方向に移動させ、次に、ガードパイプを打込杭に対してガードパイプの周方向と同じ第２の方向に回転させ、打込杭とガードパイプとを結合し、打込杭がガードパイプからガードパイプの長手方向と同じ第１の方向に、脱落しないようにすることができる。【００１４】  請求項５に係るガードパイプユニット１は、請求項４に記載のガードパイプユニットにおいて、例えば図２に示すように、係合部１２が、結合部品１５をさらに前記第１の方向とは反対の第３の方向に導くよう形成される。【００１５】  このように構成すると、係合部が、結合部品をさらに前記第１の方向とは反対の第３の方向に導くよう形成されるので、打込杭とガードパイプを結合した後、打込杭を鉛直方向下側になるようガードパイプユニットを持った場合、結合部品が係合部により第３の方向に導びかれ、打込杭のガードパイプに対する周方向回転が拘束されるので、打込杭とガードパイプとの結合がはずれることがない。
【発明の効果】
【００１６】  以上説明したように、本発明によれば、基部に嵌合テーパが形成された打込杭と、基部に締まり嵌合する嵌合部を一方の端部に有するガードパイプとを備えるので、ガードパイプユニットの設置現場にて、打込杭とガードパイプを嵌合することができ、当該設置現場にて打込杭とガードパイプを組み立てることができる。先導部にテーパが形成された打込杭を備えるので、打込杭とガードパイプとの組み立て後に、打込杭の先導部を地表に接触させ地中に向けてガードパイプを直接打設すると、打込杭は地中に進入し打込杭により土に対する押圧力を発生させ、打込杭とガードパイプとに対する土圧を生じさせ、ガードパイプユニットを地中に固定させることができる。
【発明を実施するための最良の形態】
【００１７】  以下、本発明の実施の形態について、図面を参照して説明する。なお、各図において互いに同一あるいは相当する部材には同一符号を付し、重複した説明は省略する。【００１８】  図１は、本第１の実施の形態のガードパイプユニット１である。ガードパイプユニット１は、打込杭２と、ガードパイプ３と、キャップ４とを含んで構成される。ガードパイプ３は、打込杭２と別体である。ガードパイプ３は、径方向断面が円形の細長い中空構造のパイプである。ガードパイプ３の両端は開放されている。ガードパイプ３の、図中、下端には打込杭２が取り付けられ、上端にはキャップ４が取り付けられる。キャップ４は、キャップ４内部にガードパイプ３の上端が挿入された状態で取り付けられている。打込杭２は、ガードパイプユニット１を地中に打ち込むためのものである。キャップ４を取り付けることより、中空構造のガードパイプ３内部に雨水等が入り込まないようにすることができる。ガードパイプ３と、打込杭２とが別体であるので、それぞれの加工が容易となる。【００１９】  図２は、図１の打込杭２と、ガードパイプ３（図中、一部省略）の打込杭２が取り付けられる下端付近の構造の詳細を示す。（ａ）は、ガードパイプ３と打込杭２とが分離した状態の斜視図、（ｂ）は、ガードパイプ３に打込杭２が取り付けられた状態のガードパイプユニット１の断面図であり、（ｃ）は、ガードパイプ３の内周面１３の部分斜視図であり、当該内周面１３に取り付けられた後述の突起部１５の斜視図であり、る。ガードパイプ３に打込杭２が取り付けられた状態で、ガードパイプ３の中心軸線３Ｘと打込杭２の中心軸線２Ｘとが一致する（他の実施の形態において同様）。【００２０】  打込杭２は、先導部５と挿入部６を含んで構成される。先導部５は、円環状の大径部７と、第１のテーパ８Ａが形成された第１のテーパ部８と、円柱状の棒状部９と、先端が尖った第２のテーパ１０Ａが形成された第２のテーパ部１０とを含んで構成される。各要素はこの順番で中心軸線（不図示）を一致させて並び、図中、上から下に配置されている。図示されているとおり第２のテーパ部１０が最も先端側にある。大径部７と第１のテーパ部８は、中空構造であり、棒状部９と、第２のテーパ部１０は中実構造である。第１のテーパ８Ａは、円錐（中心線が底面に垂直）形状の一部（断頭円錐）であり、第２のテーパ１０Ａは円錐（中心線が底面に垂直）形状であり、先端が尖っている。第２のテーパ１０Ａは、第１のテーパ８Ａの先方に形成されている。【００２１】  なお、第１のテーパ８Ａは、第１のテーパ部８の外周に形成され、第２のテーパ１０Ａは、第２のテーパ部１０の外周に形成されている。また、表現を変えると、テーパ部８、１０の外周には、テーパ面が形成されている。大径部７と第１のテーパ部８は、中実構造としてもよい。このようにすると打込杭２が、地中の石等に当たった場合、より変形しにくくすることができる。【００２２】  基部としての挿入部６は、中空の略円筒形状であり、円筒壁２３からなる。円筒壁２３は、打込杭２の第２のテーパ部１０とは反対側に形成された、自由端面である後端面１１を有する。後端面１１は、打込杭２の中心軸線２Ｘに直角な面である。円筒壁２３には、後端面１１から切り欠いて形成された、係合部としての、係合溝１２を有する。【００２３】  中空のガードパイプ３は、内周面１３と、図中、最下端に形成された下端面１４と、内周面１３から飛び出して形成された円柱形状の、結合部品としての、突起部１５とを有する。突起部１５が係合溝１２に係合するよう、打込杭２の挿入部６をガードパイプ３に、挿入することによって、打込杭２をガードパイプ３に取り付ける。下端面１４は、ガードパイプ３の中心軸線３Ｘに直角な面である。挿入部６の円筒壁２３の外周面２１を有し、この外周面２１の外径は、ガードパイプ３の内周面１３の内径よりわずかに小さく形成されている。したがって、円筒壁２３の外周面２１と、ガードパイプ３の内周面１３の間には、わずかに隙間が存在する。大径部７の挿入部６側には径方向の段部１６が形成されている。ガードパイプ３の挿入部６が挿入される部分（挿入部６が挿入された状態を図中、一点鎖線で示す）が嵌合部２２である。当該嵌合部２２と挿入部６の嵌合が、隙間嵌合であるので、ガードパイプ３と打込杭２とを簡易に嵌合することができる。また、ガードパイプ３の外径は、大径部７の外径に等しく形成されている。なお、突起部１５が、係合溝１２に係合することにより、打込杭２とガードパイプ３とが結合する。【００２４】  係合溝１２は、長手溝１７と、周溝１８と、長手溝１９とを有する。まず長手溝１７が、後端面１１から図中、長手方向下側に向う方向（第１の方向）に円筒壁２３を切り欠いて加工され、次に、長手溝１７の最下部から円周方向（図中、左側に向かう）（第２の方向）に周溝１８が同様に加工され、周溝１８の加工が終了した時点で、長手方向上側に向う方向（長手溝１７の加工方向とは反対方向）（第３の方向）、長手溝１９が同様に加工される。係合溝１２の幅は、突起部１５の直径よりわずかに大きくするとよい。長手溝１７と、長手溝１９とは、打込杭２の中心軸線２Ｘに対し平行であり、周溝１８は、打込杭２の中心軸線２Ｘに直角な面に平行である。【００２５】  本実施の形態のガードパイプユニット１を地中に打設した場合、ガードパイプ３の地面から出ている部分に、ガードレール、又は、道路標識等を取り付けることができる。ガードパイプ３の直径は、例えば、ガイドレールが取り付けられる場合には、１００ｍｍから１２０ｍｍとし、道路標識が取り付けられる場合には、５０ｍｍから６０ｍｍとするとよい。【００２６】  次に、ガードパイプユニット１の組み立て方法について説明する。まず、ガードパイプ３を、打込杭２の挿入部６がガードパイプ３に挿入するよう、図中、下側に動かして取り付ける。打込杭２を、ガードパイプ３に挿入するよう、図中、上側に動かしてもよいが、以下、ガードパイプ３を、打込杭２に向けて動かす場合で説明する。
ガードパイプ３を回転させずに、長手方向に向けて動かし、打込杭２がガードパイプ３に挿入するようにする。ガードパイプ３の突起部１５が、打込杭２の係合溝１２の長手溝１７に係合するよう、ガードパイプ３と打込杭２との角度位置（ガードパイプユニット１の中心軸線１Ｘ（図１）回りの角度位置）を合わせてから、ガードパイプ３の打込杭２に向けた移動を開始する。ガードパイプ３の外周部２０の下端面１４近傍に、角度位置を合わせるためのマークを挿入前につけておくとよい。【００２７】  突起部１５が、長手溝１７に係合したら、ガードパイプ３を長手方向下側に向けてさらに動かす。このとき、方向がずれそうになっても、長手溝１７が突起部１５を長手方向下側（長手方向と同じ第１の方向）に導く。次に、ガードパイプ３の下端面１４が、打込杭２の段部１６にぶつかる。このとき、突起部１５は、長手溝１７の最下部からわずかに浮き上がった位置にあるように長手溝１７を形成する。後述のようにガードパイプ３への衝撃力を与えた場合に、突起部１５に衝撃力が作用しないようにするためである。
次に、ガードパイプ３を図中、右回りに回転させると、突起部１５が、周溝１８の、図中、最右部から最左部に、ガードパイプ３の周方向に移動する。このとき、方向がずれそうになっても、周溝１８が突起部１５を当該周方向（周方向と同じ第２の方向）に導く。突起部１５が周溝１８の、図中、最左部にぶつかった段階で、ガードパイプユニット１の組み立ての工程が終了する。【００２８】  次に、ガードパイプユニット１を、打込杭２の第２のテーパ部１０が地面（不図示）に突き刺さるように、設置現場（不図示）に垂直に配置する。打込杭２を下にした姿勢でガードパイプ３を掴んで、ガードパイプユニット１を、組立現場（不図示）から設置現場まで持ち運ぶ。この持ち運びの間、打込杭２は、重力により下に下がり、ガードパイプ３の下端面１４が、打込杭２の段部１６から離れ、突起部１５が長手溝１９の最上部に接触した状態になる。この状態で、打込杭２は、ガードパイプ３に対して回転（ガードパイプ３の中心軸線３Ｘ回りの回転）しないように、突起部１５と長手溝１９との係合により拘束されているので、ガードパイプ３と打込杭２との結合がははずれることがなく、打込杭２がガードパイプ３から脱落することがない。ガードパイプユニット１を設置現場で地面に突き刺すと、ガードパイプ３の下端面１４が、打込杭２の段部１６に再びぶつかる。このとき、第２のテーパ部１０が地面に突き刺さっているので、ガードパイプユニット１の位置が地上で固定され、移動することはない。【００２９】  次に、ハンマー等を用いて、ガードパイプ３の上端面をたたいて、衝撃力を与え、ガードパイプユニット１を地中に打ち込む（ガードパイプユニット１を打設する）。このとき、打込杭２の第２のテーパ部１０が地面に突き刺さっており、ガードパイプユニット１がさらに地中に打ち込まれると、第２のテーパ部１０の次に棒状部９が地面に突き刺さるので、ガードパイプユニット１の地上の位置が衝撃力によりずれることはない。したがって、ガードパイプ３に確実に衝撃力を与えることができる。【００３０】  図３に示すように、さらに、衝撃力を与え続けると、第１のテーパ部８が、土を押し分けて地中に進入する。このとき、第１のテーパ部８に第１のテーパ８Ａが形成されているので、土にスムーズに押圧力がかかる。ガードパイプユニット１の地中内に入る部分には、開放部は形成されておらず、土が開放部からガードパイプ３（図中、一部省略）内にはいることがないので、押圧された土が崩壊することはない。第１のテーパ部８により土に押圧力を作用させることにより、反力としての土圧が、土から打込杭２およびガードパイプ３にかかるので、打込杭２および地中のガードパイプ３と土との間に隙間が生じることがなく、ガードパイプユニット１が地中でしっかりと固定され、ガードパイプユニット１の土中の動き（傾き、上下動）が拘束される。最後に、キャップ４（図１）をガードパイプ３の上端に取り付けることにより、ガードパイプユニット１の組み立てが終了する。また、本ガードパイプユニット１によれば、打込杭２により土圧を適切に発生させる構成であるので、ガードパイプ３の地中に埋め込まれる長さを短くすることができる。【００３１】  図４に示すよう���、打込杭２の係合溝１２が、長手溝１７と、周溝１８と、戻り溝６２とを有するようにしてもよい。戻り溝６２は、周溝１８の図中、左側の上方に、長手方向上側に戻るように形成され、図中、周方向に対し角度を持って形成された斜め溝壁６２Ａを有する。斜め溝壁６２Ａは、打込杭２の中心軸線２Ｘ（図２）回りの回転を規制するように斜めに形成されている。打込杭２を下にした姿勢でガードパイプ３を掴んで、ガードパイプユニット１を組立現場から設置現場まで持ち運ぶ場合、打込杭２は、ガードパイプ３に対して回転しないように、突起部１５と戻り溝６２との係合により拘束されるので、ガードパイプ３と打込杭２との結合がはずれることがなく、打込杭２がガードパイプ３から脱落することがない。【００３２】  以上説明したように、本実施の形態のガードパイプユニット１によれば、地中に打設したガードパイプユニット１が地中で傾いたり上下に動いたりしてしまうことを防止可能なガードパイプユニット１を提供することができる。【００３３】  図５は、本第２の実施の形態の、ガードパイプ３（図中、一部省略）と打込杭２と結合部品としての突起部３５とを含んで構成されるガードパイプユニット３１である。以下、第１の実施の形態のガードパイプユニット１（図２）との相違点を中心に説明する。【００３４】  突起部３５は、打込杭２に形成されている。すなわち、円柱形状の結合部品としての突起部３５は、打込杭２の挿入部６の外周面２１に、配置され、外周面２１から打込杭２の中心軸線２Ｘに直角な方向に飛び出して形成されている。係合部としての係合溝３２は、ガードパイプ３に形成されている。係合溝３２は、下端面１４から長手方向、図中、上側に向かって（第１の方向）切り欠いて加工された長手溝３７と、長手溝３７の最上部から円周方向（図中、左側に向かう）（第２の方向）に加工された周溝３８と、周溝３８の加工が終了した時点で、長手方向下側に向かって（長手溝３７の加工方向と反対の方向）（第３の方向）加工された長手溝３９を有する。長手溝３７と、長手溝３９とは、ガードパイプ３の中心軸線３Ｘに対し平行であり、周溝３８は、ガードパイプ３の中心軸線３Ｘに直角な面に平行である。【００３５】  次に、ガードパイプユニット３１の組み立て方法について、ガードパイプユニット１（図２）の組み立て方法との相違点を中心に説明する。本実施の形態でもガードパイプ３を動かし、打込杭２の挿入部６が、ガードパイプ３に挿入する場合で説明する。【００３６】  突起部３５が、長手溝３７に係合するようガードパイプ３と打込杭２との角度位置を合わせた後、ガードパイプ３を長手方向下側に向けて動かし、打込杭２がガードパイプ３に挿入するようにすると、突起部３５が長手溝３７に係合し、ガードパイプ３の下端面１４が、打込杭２の段部１６にぶつかる。このとき、突起部３５は、長手溝３７の最上部からわずかに下方に離れた位置にある。このためガードパイプ３への衝撃力を与えた場合に、突起部３５に衝撃力がかからないようにすることができる。次に、ガードパイプ３を図中、左回りに回転させると、突起部３５が、周溝３８の、図中、最右部から最左部に向かって、ガードパイプ３の周方向に移動する。【００３７】  打���杭２を下にした姿勢でガードパイプ３を掴んで、ガードパイプユニット３１を組立現場（不図示）から設置現場（不図示）まで持ち運ぶと、打込杭２は、重力により下に下がり、ガードパイプ３の下端面１４が、打込杭２の段部１６から離れ、突起部３５が長手溝３９の最下部に接触した状態になる。この状態で、打込杭２は、ガードパイプ３に対して回転しないように、突起部３５と長手溝３９の係合により拘束されているので、ガードパイプ３と打込杭２との結合がはずれることがなく、打込杭２がガードパイプ３から脱落することがない。【００３８】  図６に示すように、ガードパイプ３の係合溝３２が、長手溝３７と、周溝３８と、戻り溝６３とを有するようにしてもよい。戻り溝６３は、周溝３８の図中、左側の下方に、長手方向下側に食い込んで形成され、図中、周方向に対し角度を持って形成された斜め溝壁６３Ａを有する。斜め溝壁６３Ａは、打込杭２が回転しようとした場合、係合している突起部３５がぶつかることによりこの回転を抑制するように斜めに形成されている。すなわち、ガードパイプユニット１を、打込杭２を下にした姿勢でガードパイプ３を掴んで、組立現場から設置現場まで持ち運んでいる間、打込杭２は、ガードパイプ３に対して回転しないように、突起部３５（図５）と戻り溝６３との係合により拘束されるので、ガードパイプ３と打込杭２との結合がはずれず、打込杭２がガードパイプ３から脱落することがない。【００３９】  以上説明したように、本実施の形態のガードパイプユニット３１によれば、ガードパイプユニット１（図２）と同様に、地中に打設したガードパイプユニット３１が地中で傾いたり上下に動いたりしてしまうことを防止可能なガードパイプユニット３１を提供することができる。【００４０】  図７は、本第３の実施の形態の、ガードパイプ３（図中、一部省略）と打込杭２と結合部品としてのピン５５とを含んで構成されるガードパイプユニット５１である。以下、第１の実施の形態のガードパイプユニット１（図２）との相違点を中心に説明する。
本実施の形態のガードパイプユニット５１には、突起部および突起部が係合する係合溝は形成されていない。【００４１】  ガードパイプ３に、係合部としてのピン穴５７が形成され、さらに打込杭２の挿入部６に、係合部としてのピン穴５８が形成されている。ピン穴５７と下端面１４との間の長手方向距離と、ピン穴５８と段部１６との間の長手方向距離を同じにすることにより、打込杭２の挿入部６をガードパイプ３に挿入した場合、打込杭２とガードパイプ３の角度位置を合わせることにより、ピン穴５７とピン穴５８とが重なり、ピン５５をピン穴５７とピン穴５８とに挿入し、打込杭２とガードパイプ３を結合することができる。【００４２】  この場合、ピン穴５７にピン５５が係合され、さらにピン穴５８にピン５５が係合される。また、ピン穴５８は挿入部６に形成されているので、ピン５５は挿入部６に取り付けられ、ピン穴５７は嵌合部２２に形成されているので、ピン５５は嵌合部２２に取り付けられるということができる。【００４３】  ピン５５をピン穴５７とピン穴５８とに挿入することにより、ガードパイプ３と打込杭２との結合が強固になり、打込杭２を下にした姿勢でガードパイプ３を掴んで、ガードパイプユニット５１を、組立現場（不図示）から設置現場（不図示）まで持ち運ぶ場合、ガードパイプ３と打込杭２との結合がはずれることがなく、打込杭２がガードパイプ３から脱落することがない。ピン穴５８を複数（例えば、２個）、ピン穴５７を複数（例えば、６個）形成してもよい。このようにすると、どれか一組のピン穴が重なればよく、ガードパイプ３と打込杭２との角度位置合わせが容易となる。【００４４】  本実施の形態では、打込杭２には、棒状部（図２の棒状部９参照）は形成されておらず、第１のテーパ部８と第２のテーパ部１０が一つのテーパ部を形成し、第１のテーパ８Ａと先端が尖った第２のテーパ１０Ａとは同じテーパ角度で形成されている。よって、第１のテーパ部８と第２のテーパ部１０の加工が容易となる。【００４５】  ガードパイプユニット５１によれば、打込杭２が地中に押し込まれたとき、土圧をスムーズに発生させることができるので、発生した土圧により、地中に打設したガードパイプユニット５１が地中で傾いたり上下に動いたりしてしまうことを防止可能なガードパイプユニット５１を提供することができる。【００４６】  図８は、本第４の実施の形態の、ガードパイプ３と打込杭２とを含んで構成されるガードパイプユニット７１である。以下、第１の実施の形態のガードパイプユニット１（図２）との相違点を中心に説明する。【００４７】  打込杭２の、基部としての挿入部６は、中空の断頭円錐形状であり、後端面１１に向かって径が一律に小さくなる嵌合テーパ６Ａが外周に形成されているので、嵌合テーパ部６と呼ぶことができる。嵌合テーパ部６には、突起部も係合溝も形成されていない。中空のガードパイプ３は、円筒形状であり、ガードパイプ３にも、突起部も係合溝も形成されていない。嵌合テーパ部６の段部１６と境をなす部分における外径は、ガードパイプ３の下端面１４における内径より大きく形成されている。なお、嵌合テーパ部６の嵌合テーパ６Ａのテーパ角度は、図中、実際の角度より大きく描いて���る。【００４８】  なお、先導部５は、ガードパイプユニット１の打込杭２の先導部５（図２）と、同様の構成であり、第１のテーパ８Ａが形成された第１のテーパ部８と、先端が尖った第２のテーパ１０Ａが形成された第２のテーパ部１０とを含んで構成される。ガードパイプユニット１と同様に、ガードパイプ３の嵌合テーパ部６が挿入される部分（嵌合テーパ部６が挿入された状態を図８（ａ）中、一点鎖線で示す）が嵌合部２２であり、ガードパイプ３は、嵌合部２２を一方の端部に有する構成である。【００４９】  次に、ガードパイプユニット７１の組み立て方法について、ガードパイプユニット１（図２）の組み立て方法との相違点を中心に説明する。本実施の形態でもガードパイプ３を動かし、打込杭２の挿入部６がガードパイプ３に挿入する場合で説明する。ガードパイプ３を長手方向下側に向けて動かし、打込杭２がガードパイプ３に挿入するようにすると、ガードパイプ３の下端面１４が、打込杭２の段部１６にぶつかる前に、ガードパイプ３の先導部の内周が嵌合テーパ部６に接触し、ガードパイプ３に打込杭２が嵌合し、打込杭２とガードパイプ３とが結合する。さらにガードパイプ３を押し込むと、ガードパイプ３と打込杭２とが締まりばめの状態（締まり嵌合状態）になり、打込杭２とガードパイプ３との結合が強固になる。【００５０】  本実施の形態のガードパイプユニット７１は、打込杭２とガードパイプ３の組み立てに際し、ガードパイプ３と打込杭２との角度位置を合わせを行う必要はない。ガードパイプユニット７１には、突起部および係合溝は、形成されていないからである。したがって、打込杭２とガードパイプ３の組み立て作業を短時間で行うことができる。【００５１】  以上の説明において、打込杭２は、第１の実施の形態と同じである、すなわち、挿入部６と、先導部５の大径部７と、第１のテーパ部８は、中空構造であるとした。
しかし、図９（ａ）に示すように、打込杭２を中実構造とし、鋳造品（ねずみ鋳鉄、ダクタイル鋳鉄）としてもよい。
また、図９（ｂ）に示すように、打込杭２は、中子（不図示）を用いた鋳造品の中空構造としてもよい。この場合、中子が抜け易いように、中空部の内径を後端面１１に向かうにしたがって一律に大きくなる構造とするとよい。
図９（ｃ）に示すように、嵌合テーパ部６と大径部７との間に、テーパ部を持たない直管部６１を設けてもよい。このようにすると、嵌合テーパ部６は、外周面が例えば旋盤にてパイプの内周面の内径に合わせて切削加工されるが、嵌合テーパ部６の最大外径を所定の値（直管部６１の外径）に、容易に設定できる。なお、ガードパイプ３の内周面、打込杭２の先導部５の大径部７、第１のテーパ部８、棒状部９、第２のテーパ部１０は、切削加工はしない。【００５２】  本実施の形態のガードパイプユニット７１によれば、ガードパイプユニット１（図２）と同様に、地中に打設したガードパイプユニット７１が地中で傾いたり上下に動いたりしてしまうことを防止可能なガードパイプユニット７１を提供することができる。
【図面の簡単な説明】
【００５３】
【図１】本発明の第１の実施の形態に係るガードパイプユニットの正面図である。
【図２】（ａ）は、図１に示すガードパイプユニットの組立て前の斜視図、（ｂ）は、組み立て後のガードパイプユニットの断面図であり、（ｃ）は、ガードパイプの、突起部が取り付けられた部分の内周面の部分斜視図である。
【図３】図１のガードパイプユニットを地中に打設したときの模式的説明図である。
【図４】図１のガードパイプユニットの打込杭の、他の形状の係合溝を説明する図である。
【図５】（ａ）は、本発明の第２の実施の形態のガードパイプユニットの組立て前の斜視図、（ｂ）は、組み立て後のガードパイプユニットの断面図である。
【図６】図４のガードパイプユニットのガードパイプの、他の形状の係合溝を説明する図である。
【図７】（ａ）は、本発明の第３の実施の形態のガードパイプユニットの組立て前の斜視図、（ｂ）は、組み立て後のガードパイプユニットの断面図である。
【図８】（ａ）は、本発明の第４の実施の形態のガードパイプユニットの組立て前の斜視図、（ｂ）は、組み立て後のガードパイプユニットの断面図である。
【図９】（ａ）は、第４の実施の形態において、打込杭を中実構造とした場合をであり、（ｂ）は、打込杭を中子を用いた中空の鋳物品とした場合であり、（ｃ）は、打込杭の嵌合テーパ部と大径部との間に、直管部を設けた構造を示す。
【図１０】（ａ）は、土中に打設された従来のガードパイプの断面図である。（ｂ）は、土中に打設され、土との間に隙間を生じたガードパイプの断面図である。
【図１１】波打ち傾いた従来のガードレールの例を説明する図である。
【符号の説明】
【００５４】１、３１、５１、７１  ガードパイプユニット
２  打込杭
３  ガードパイプ
４  キャップ
５  先導部
６  挿入部
７  大径部
８  第１のテーパ部
８Ａ  第１のテーパ
９  棒状部
１０  第２のテーパ部
１０Ａ  第２のテーパ
１１  後端面
１２、３２  係合溝
１３  内周面
１４  下端面
１５、３５  突起部
１６  段部
１７、３７  長手溝
１８、３８  周溝
１９、３９  長手溝
２０  外周面
２１  外周面
２２  嵌合部
２３  円筒壁
５５  ピン
５７、５８  ピン穴
６１  直管部
６２、６３  戻り溝
６２Ａ、６３Ａ  斜め溝壁
【図１】
2008303696.tif 000003
【図２】
2008303696.tif 000004
【図３】
2008303696.tif 000005
【図４】
2008303696.tif 000006
【図５】
2008303696.tif 000007
【図６】
2008303696.tif 000008
【図７】
2008303696.tif 000009
【図８】
2008303696.tif 000010
【図９】
2008303696.tif 000011
【図１０】
2008303696.tif 000012
【図１１】
2008303696.tif 000013